【手続補正書】
【提出日】平成25年10月21日(2013.10.21)
【手続補正１】
【補正対象書類名】特許請求の範囲
【補正対象項目名】全文
【補正方法】変更
【補正の内容】
【特許請求の範囲】
【請求項１】
プリーツ加工された濾材で構成されたメインフィルタと、プリーツ加工された濾材で構成され且つ前記メインフィルタより面積の小さいサブフィルタとを備え、前記サブフィルタは前記メインフィルタの中央部に前記メインフィルタと重ねて配置されていることを特徴とする空気清浄機用フィルタ。
【請求項２】
サブフィルタは、面積がメインフィルタの面積の５０〜８０％の範囲であることを特徴とする請求項１に記載の空気清浄機用フィルタ。
【請求項３】
サブフィルタは、メインフィルタの前面側に配置されていることを特徴とする請求項２に記載の空気清浄機用フィルタ。
【請求項４】
サブフィルタは、メインフィルタと同一厚さに形成されていることを特徴とする請求項３に記載の空気清浄機用フィルタ。
【請求項５】
サブフィルタは、濾材の目付量がメインフィルタと同一であることを特徴とする請求項３または請求項４に記載の空気清浄機用フィルタ。
【請求項６】
サブフィルタは、濾材の目付量がメインフィルタより大きいことを特徴とする請求項３または請求項４に記載の空気清浄器用フィルタ。
【請求項７】
サブフィルタは、濾材の目付量がメインフィルタより小さいことを特徴とする請求項３または請求項４に記載の空気清浄器用フィルタ。
【請求項８】
サブフィルタに形成されたプリーツのピッチは、メインフィルタのプリーツのピッチと同一に形成されていることを特徴とする請求項３または請求項４に記載の空気清浄機用フィルタ。
【請求項９】
サブフィルタに形成されたプリーツのピッチは、メインフィルタのプリーツのピッチより大きいことを特徴とする請求項３または請求項４に記載の空気清浄機用フィルタ。
【請求項１０】
サブフィルタに形成されたプリーツのピッチは、メインフィルタのプリーツのピッチより小さいことを特徴とする請求項３または請求項４に記載の空気清浄機用フィルタ。
【請求項１１】
サブフィルタまたはメインフィルタのどちらか一方のフィルタのプリーツのピッチは、中央部が周辺部より細かく形成されていることを特徴とする請求項３または請求項４に記載の空気清浄機用フィルタ。
【請求項１２】
サブフィルタは、中央部が周辺部より厚く形成されていることを特徴とする請求項３または請求項４に記載の空気清浄機用フィルタ。
【手続補正２】
【補正対象書類名】明細書
【補正対象項目名】０００４
【補正方法】変更
【補正の内容】
【０００４】
そこで、この問題を解決するものとして、特許文献１に示すフィルタが提案されていた。このフィルタは、吸着剤とバインダ成分で構成される板状成形体に、複数の円形の通風孔を設けたフィルタである。このフィルタは、フィルタ内を通過する気流の風速分布に応じて風速の速い部分は開口率を小さく且つ風速の遅い部分は開口率を大きくして開口率を変化させることにより、フィルタを通過する気流の風速分布を均一にすることを特徴とするものである。
【手続補正３】
【補正対象書類名】明細書
【補正対象項目名】０００８
【補正方法】変更
【補正の内容】
【０００８】
上記課題を解決するため、請求項１の発明にあっては、プリーツ加工された濾材で構成されたメインフィルタと、プリーツ加工された濾材で構成され且つ前記メインフィルタより面積の小さいサブフィルタとを備え、前記サブフィルタは前記メインフィルタの中央部に前記メインフィルタと重ねて配置されていることを特徴とするものである。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】
また、請求項２の発明にあっては、前記サブフィルタは、面積がメインフィルタの面積の５０〜８０％の範囲であることを特徴としている。
【手続補正６】
【補正対象書類名】明細書
【補正対象項目名】００１１
【補正方法】変更
【補正の内容】
【００１１】
また、請求項３の発明にあっては、前記サブフィルタは、前記メインフィルタの前面側に配置されていることを特徴としている。
【手続補正７】
【補正対象書類名】明細書
【補正対象項目名】００１２
【補正方法】変更
【補正の内容】
【００１２】
また、請求項４の発明にあっては、前記サブフィルタは、前記メインフィルタと同一厚さに形成されていることを特徴としている。
【手続補正８】
【補正対象書類名】明細書
【補正対象項目名】００１３
【補正方法】変更
【補正の内容】
【００１３】
また、請求項５の発明にあっては、前記サブフィルタは、濾材の目付量が前記メインフィルタと同一であることを特徴としている。
【手続補正９】
【補正対象書類名】明細書
【補正対象項目名】００１４
【補正方法】変更
【補正の内容】
【００１４】
また、請求項６の発明にあっては、前記サブフィルタは、濾材の目付量が前記メインフィルタより大きいことを特徴としている。
【手続補正１０】
【補正対象書類名】明細書
【補正対象項目名】００１５
【補正方法】変更
【補正の内容】
【００１５】
また、請求項７の発明にあっては、前記サブフィルタは、濾材の目付量が前記メインフィルタより小さいことを特徴としている。
【手続補正１１】
【補正対象書類名】明細書
【補正対象項目名】００１６
【補正方法】変更
【補正の内容】
【００１６】
また、請求項８の発明にあっては、前記サブフィルタに形成されたプリーツのピッチは、前記メインフィルタのプリーツのピッチと同一であることを特徴としている。
【手続補正１２】
【補正対象書類名】明細書
【補正対象項目名】００１７
【補正方法】変更
【補正の内容】
【００１７】
また、請求項９の発明にあっては、前記サブフィルタに形成されたプリーツのピッチは、前記メインフィルタのプリーツのピッチより大きいことを特徴としている。
【手続補正１３】
【補正対象書類名】明細書
【補正対象項目名】００１８
【補正方法】変更
【補正の内容】
【００１８】
また、請求項１０の発明にあっては、前記サブフィルタに形成されたプリーツのピッチは、前記メインフィルタのプリーツのピッチより小さいことを特徴としている。
【手続補正１４】
【補正対象書類名】明細書
【補正対象項目名】００１９
【補正方法】変更
【補正の内容】
【００１９】
また、請求項１１の発明にあっては、前記サブフィルタまたは前記メインフィルタのどちらか一方のフィルタのプリーツのピッチは、中央部が周辺部より細かく形成されていることを特徴としている。
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】変更
【補正の内容】
【００２１】
さらに、請求項１２の発明にあっては、前記サブフィルタは、中央部が周辺部より厚く形成されていることを特徴とするものである。
【手続補正１７】
【補正対象書類名】明細書
【補正対象項目名】００３１
【補正方法】変更
【補正の内容】
【００３１】
上述のように、メインフィルタ１とサブフィルタ１０で構成されたフィルタＡは、中央部を二重構造にすることにより、風速が速い中央部の圧力損失が大きくなり、風速が緩和されるので、フィルタを通過した気流の風速分布を均一にすることが可能になる。また、風速分布が均一化されることにより、経時的にもフィルタの急激な性能低下が発生せず、長時間の使用が可能になり、寿命の長いフィルタにすることができる。さらに、フィルタの中央部を単純な二重構造としているので、製造コストの安い空気清浄機用のフィルタを提供することが可能となる。